【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
各種情報を処理する情報処理手段と、
外部に接続された電子機器に対して電力の供給と信号の授受とを単一のコネクタを介して行うことができるインタフェースと、
前記インタフェースを介して前記電子機器に電力を供給可能な電源部と、
本情報処理装置に対して電源のオフの指示がなされた場合、または本情報処理装置が非稼動状態に移行した場合にも、前記インタフェースを介して前記電子機器への電力の供給を継続する電源制御手段と、
を備えたことを特徴とする情報処理装置。
【請求項２】
前記電子機器の接続の有無を検出する電子機器検出手段と、
前記電源部へ電力を供給する外部電源の接続の有無を検出する外部電源検出手段と、
をさらに備え、
前記電源制御手段は、
前記電子機器検出手段および前記外部電源検出手段によって前記電子機器および前記外部電源の接続が検出された場合に、前記電子機器への電力の供給を継続する、
ことを特徴とする請求項１に記載の情報処理装置。
【請求項３】
前記電源部は充電可能なバッテリを備え、
前記電源制御手段は、前記バッテリを充電する前記外部電源が接続されていない場合には稼働中であっても前記インタフェースを介して前記電子機器に電力を供給しないことを特徴とする請求項１に記載の情報処理装置。
【請求項４】
所定の省電力手段をさらに備え、
前記電源制御手段は、前記省電力手段によって非稼働となった後にも前記電子機器への電力の供給を継続することを特徴とする請求項１に記載の情報処理装置。
【請求項５】
前記接続された電子機器の種別を判断する種別判断手段をさらに備え、
前記電源制御手段は、前記種別判断手段で判断された種別が所定の種別である場合には非稼働となった後にも前記所定の種別の電子機器への電力の供給を継続し、前記判断された種別が所定の種別と異なる場合には非稼働となった後に前記所定の種別と異なる電子機器への電力の供給を停止することを特徴とする請求項１に記載の情報処理装置。
【請求項６】
前記所定の種別の電子機器は、充電可能なバッテリを内蔵する携帯型電子機器であることを特徴とする請求項５に記載の情報処理装置。
【請求項７】
前記インタフェースは、ＵＳＢ（Universal  Serial  Bus）規格に基づくインタフェース、ＩＥＥＥ１３９４規格に基づくインタフェース、およびＩＥＥＥ８０２．３ａｆ規格に基づくパワー・オーバー・イーサーネット（Power over Ethernet（登録商標））のうちのいずれか１つであることを特徴とする請求項１に記載の情報処理装置。
【請求項８】
外部に接続された電子機器に対して電力の供給と信号の授受とを単一のコネクタを介して行うことができるインタフェースと、外部電源から電力の供給を受ける電源部とを備える情報処理装置の電源制御方法において、
前記情報処理装置の稼働中には、前記電源部から前記電子機器に前記インタフェースを介して電力を供給し、
前記情報処理装置が非稼働となった後にも前記インタフェースを介して前記電子機器への電力の供給を継続することを特徴とする情報処理装置の電源制御方法。
【請求項９】
前記外部電源が前記情報処理装置に接続されている場合において、前記電子機器への電力の供給を継続することを特徴とする請求項８に記載の情報処理装置の電源制御方法。
【請求項１０】
前記電源部は充電可能なバッテリを備え、
前記バッテリを充電する前記外部電源が接続されていない場合には、前記情報処理装置が稼働中であっても前記インタフェースを介して前記電子機器に電力を供給しないことを特徴とする請求項９に記載の情報処理装置の電源制御方法。
【請求項１１】
前記情報処理装置は所定の省電力手段をさらに備え、
前記省電力手段によって非稼働となった後にも前記電子機器への電力の供給を継続することを特徴とする請求項９に記載の情報処理装置の電源制御方法。
【請求項１２】
接続された前記電子機器の種別を判断し、
前記電子機器の種別が所定の種別である場合には非稼働となった後にも前記所定の種別の電子機器への電力の供給を継続し、前記電子機器の種別が所定の種別と異なる場合には非稼働となった後に前記所定の種別と異なる電子機器への電力の供給を停止することを特徴とする請求項９に記載の情報処理装置の電源制御方法。
【請求項１３】
前記所定の種別の電子機器は、充電可能なバッテリを内蔵する携帯型電子機器であることを特徴とする請求項１２に記載の情報処理装置の電源制御方法。
【請求項１４】
前記インタフェースは、ＵＳＢ（Universal  Serial  Bus）規格に基づくインタフェース、ＩＥＥＥ１３９４規格に基づくインタフェース、およびＩＥＥＥ８０２．３ａｆ規格に基づくパワー・オーバー・イーサーネット（Power over Ethernet）のうちのいずれか１つであることを特徴とする請求項９に記載の情報処理装置の電源制御方法。
【請求項１５】
外部に接続された電子機器に対して信号の授受と電力の供給とを単一のコネクタを介して行うことができるインタフェースと、充電可能なバッテリを有するとともに外部電源から電力の供給受けも可能である電源部とを備える情報処理装置の制御方法であって、
前記情報処理装置が稼動中に、前記コネクタに前記電子機器が接続されている場合には、前記電源部から前記インタフェースを介して、前記電子機器に対して電力を供給する第１ステップと、
前記情報処理装置が稼働を終了または中断するに際し、前記電源部の状態を検出する第２ステップと、
この第２ステップで検出された状態に応じて、前記情報処理装置が非稼働となった後にも前記インタフェースを介して前記電子機器への電力の供給を継続する第３ステップと、
を備えることを特徴とする情報処理装置の制御方法。
【請求項１６】
前記第２ステップにおいて、前記電源部が外部電源の供給を受けている場合、または前記電源部のバッテリが所定閾値以上の残量を有する場合のいずれかが一方が検出されるときに、前記第３ステップを実行することを特徴とする請求項１５記載の情報処理装置の制御方法。
【手続補正２】
【補正対象書類名】明細書
【補正対象項目名】００２８
【補正方法】変更
【補正の内容】
【００２８】
上記課題を解決するため、本発明に係る情報処理装置は、請求項１に記載したように、各種情報を処理する情報処理手段と、外部に接続された電子機器に対して電力の供給と信号の授受とを単一のコネクタを介して行うことができるインタフェースと、前記インタフェースを介して前記電子機器に電力を供給可能な電源部と、本情報処理装置に対して電源のオフの指示がなされた場合、または本情報処理装置が非稼動状態に移行した場合にも、前記インタフェースを介して前記電子機器への電力の供給を継続する電源制御手段と、を備えたことを特徴とする。
【手続補正３】
【補正対象書類名】明細書
【補正対象項目名】００２９
【補正方法】変更
【補正の内容】
【００２９】
また、上記課題を解決するため、本発明に係る情報処理装置の電源制御方法は、請求項８に記載したように、外部に接続された電子機器に対して電力の供給と信号の授受とを単一のコネクタを介して行うことができるインタフェースと、外部電源から電力の供給を受ける電源部とを備える情報処理装置の電源制御方法において、前記情報処理装置の稼働中には、前記電源部から前記電子機器に前記インタフェースを介して電力を供給し、前記情報処理装置が非稼働となった後にも前記インタフェースを介して前記電子機器への電力の供給を継続することを特徴とする。
【手続補正４】
【補正対象書類名】明細書
【補正対象項目名】００３０
【補正方法】変更
【補正の内容】
【００３０】
さらにまた、上記課題を解決するため、本発明に係る情報処理装置の制御方法は、請求項１５に記載したように、外部に接続された電子機器に対して信号の授受と電力の供給とを単一のコネクタを介して行うことができるインタフェースと、充電可能なバッテリを有するとともに外部電源から電力の供給受けも可能である電源部とを備える情報処理装置の制御方法であって、情報処理装置が稼動中に、前記コネクタに電子機器が接続されている場合には、電源部からインタフェースを介して、電子機器に対して電力を供給する第１ステップと、情報処理装置が稼働を終了または中断するに際し、電源部の状態を検出する第２ステップと、この第２ステップで検出された状態に応じて、情報処理装置が非稼働となった後にも前記インタフェースを介して電子機器への電力の供給を継続する第３ステップとを備えることを特徴とする。